(57)【要約】【課題】  腕時計の電池を交換したり、腕時計を分解修理したりする修繕時に、腕時計を修繕しようとする作業者に、その腕時計の修繕に必要な特定の技術事項を伝えるための修繕情報と、アラーム機能のための圧電素子と、を備える腕時計にあって、圧電素子とブザー用導通部材との電気的導通、あるいは裏蓋の上面とアース用導通部材との電気的な導通が確実に確保される腕時計のケースを提供することにある。【解決手段】  腕時計のケース１であって、裏蓋３の内壁に固定される圧電素子１２と、圧電素子１２周囲の裏蓋３の内壁に刻印されて修繕情報を伝達するための情報告知刻印部１５と、を備える。情報告知刻印部１５は、レーザー加工、プレス加工、あるいはエッチング加工によって刻印される。【選択図】  図３
2007263810.tif 000002
【特許請求の範囲】
【請求項１】
腕時計のケースであって、
裏蓋の内壁に付される付帯情報と、
裏蓋の内壁に固定される圧電素子と、
を含み、
付帯情報が、圧電素子周囲の裏蓋の内壁に刻印された情報告知刻印部によって付される腕時計のケース。
【請求項２】
請求項１に記載された腕時計のケースであって、
情報告知刻印部が、圧電素子周囲の裏蓋の内壁にレーザー加工によって刻印された腕時計のケース。
【請求項３】
請求項１に記載された腕時計のケースであって、
情報告知刻印部が、圧電素子周囲の裏蓋の内壁にプレス加工によって刻印された腕時計のケース。
【請求項４】
請求項１に記載された腕時計のケースであって、
情報告知刻印部が、圧電素子周囲の裏蓋の内壁にエッチング加工によって刻印された腕時計のケース。
【請求項５】
請求項１から４のいずれかに記載された腕時計のケースであって、
ケースに収納されるムーブメントと、
ムーブメントと裏蓋の内壁とを導通させるアース用導通部材と、
圧電素子周囲に形成される情報告知刻印部と、
圧電素子周囲に形成される情報告知刻印部の無い空白領域と、
を含み、
アース用導通部材が、空白領域において裏蓋の内壁に接触する腕時計のケース。
【請求項６】
請求項５に記載された腕時計のケースであって、
圧電素子周囲に円弧状に形成される情報告知刻印部と、
情報告知刻印部の両端間に設けられる空白領域と、
を含む腕時計のケース。
【請求項７】
請求項１から４のいずれかに記載された腕時計のケースであって、
ケースに収納されるムーブメントと、
ムーブメントと裏蓋の内壁とを導通させるアース用導通部材と、
を含み、
アース用導通部材における裏蓋の内壁との接触部が、情報告知刻印部における刻印の凹部より大きく設定される腕時計のケース。
【請求項８】
請求項１から７のいずれかに記載された腕時計のケースであって、
裏蓋の内壁に凹部として形成された、圧電素子を収納する収納部を含み、
収納部周囲の裏蓋の内壁に、付帯情報が直接形成される腕時計のケース。
【請求項９】
請求項８に記載された腕時計のケースであって、
収納部に収納された圧電素子における、収納部の底面と対向しない面と、収納部周囲の裏蓋の内壁面とが、ほぼ同一平面を成す腕時計のケース。
【請求項１０】
請求項１から９のいずれかに記載されたケースを備える腕時計。
【発明の詳細な説明】
【技術分野】
【０００１】
本発明は、腕時計におけるムーブメントを収納するためのケースに関する。
【背景技術】
【０００２】
腕時計のケースには、その腕時計に係わる様々な付帯情報が付される。
たとえば、その腕時計に用いられる部品の製造履歴情報が、付帯情報としてケースに付される。この製造履歴情報としては、部品番号、ロット番号、製造工場名、組み立て工場名、あるいは製造年月日などが挙げられる。
また、たとえば、その腕時計を個々に識別する識別情報が、付帯情報としてケースに付される。この識別情報としては、腕時計に一対一対応で付されるシリアル番号や、アフターサービス番号などが挙げられる。
【０００３】
また、たとえば、その腕時計の所有者のイニシャルや名前など、所有者を識別する所有者情報や、その腕時計の所有者の病名、内服している薬名、血液型など、所有者の医療情報が付帯情報としてケースに付される。
また、たとえば、その腕時計が、特定のイベント用に採用されたものであるならば、そのイベント名やイベントの主催者名が、付帯情報としてケースに付される。あるいは、その腕時計が、スポーツ団体や文化団体など、特定の団体を協賛するために採用されたものであるならば、それらスポーツ団体名や文化団体名が、付帯情報としてケースに付されることもある。
このような付帯情報は、ケースの外壁や内壁に付される。
【０００４】
またあるいは、腕時計の電池を交換したり、腕時計を分解修理したりする修繕時に、腕時計を修繕しようとする作業者に、その腕時計の修繕に必要な特定の技術事項を伝えるための修繕情報が、付帯情報としてケースに付される。
このような修繕情報には、たとえば、交換する部品を特定する情報、交換する部品の取り付け条件を特定する情報、あるいは時刻設定など、修繕後の腕時計の設定方法を特定する情報などが含まれる。
この修繕情報は、修繕時には裏蓋を開ける必要が多いことから、ケースの内壁、特に裏蓋の内壁に付されることが多い。この場合、修繕情報を簡便に付すために、修繕情報を記した情報告知シールが裏蓋の内壁に貼着されることが多い。
【０００５】
他方、所定の時刻にアラームを鳴らすアラーム機能を備える腕時計も、広く知られている。このアラーム機能には、電磁ブザーや圧電素子などが用いられる。圧電素子が採用された場合、この圧電素子は、ケースの内壁、特に裏蓋の内壁に貼着されることが多い。
圧電素子は、ケースの内側に収納された腕時計の駆動体であるムーブメントと電気的に導通されて駆動されて、アラームを鳴鐘する。
【０００６】
図６と７に、情報告知シールと圧電素子双方が貼着された腕時計のケースが示される。
腕時計のケース１は、ハウジング２と裏蓋３０とを含む。
ハウジング２は、上下方向に貫通された枠体として図示される。このハウジング２の内壁は、平面方向に沿って延びる様々な径を有する周面で構成される。ハウジング２の上部の開口は、たとえば透明なガラスから成る風防４によって封鎖される。風防４は、可撓性の弾性体、たとえば柔軟な合成樹脂より成る、リング状の風防用パッキン５を介してハウジング２に水密に固定される。
他方、ハウジング２の下部の開口近傍における内壁には、その周面に沿って雌ネジ部２ａが形成される。
なお、ここで上下とは、図６の上下方向に順ずる。また、平面方向とは、図６の左右方向に順ずる。また、以下内側、外側、内方、あるいは外方という記載における内外とは、ケース１、特にハウジング２を基準に記載される。
【０００７】
ハウジング２の内部にはムーブメント６が収納される。ムーブメント６は、たとえば合成樹脂より成る支持枠７によって、下方より支持される。
図示される腕時計の場合、ムーブメント６の上面には、ソーラーセル８が載置される。ソーラーセル８の上方には、少なくともソーラーセル８の発電に寄与する波長の外光を、少なくともムーブメント６の駆動に足るだけ透過させる透光機能を有する文字板９が載置される。
ムーブメント６より突出して、ソーラーセル８と文字板９とを貫通する針軸に、分針１０と時針１１とが配置される。分針１０と時針１１とは、文字板９と風防４との間に位置して時刻を表示する。
このように、図示から例示される腕時計が、外光を利用して発電するソーラー発電式の腕時計であることが理解される。
【０００８】
ハウジング２の下部の開口は、裏蓋３０によって封鎖される。
裏蓋３０は、平面視による外形形状が略円形を成し、平面方向に延びる平板な蓋として図示される。裏蓋３０は、中子３０ａを含む。この中子３０ａは、裏蓋３０の外周縁近傍より、上方に向けて立設される。中子３０ａは、裏蓋３０の外形形状と相似を成して、平面視で略円形に突出し、結果、上下方向に沿って貫通した円筒形状の壁を成す。この中子３０ａの上端寄りの外周面に、雄ネジ部３０ｂが形成される。
なお、ここで、上端とは、それぞれの部品における端部のうち、上下方向に沿って上方寄りの端部を言う。また、下端とは、それぞれの部品における端部のうち、上下方向に沿って下方寄りの端部を言う。
【０００９】
裏蓋３０は、中子３０ａに沿って形成された、上方に向けて開口する周状の凹部であるパッキン用溝３０ｃを含む。パッキン用溝３０ｃは、中子３０ａに対して平面方向に沿って外側に位置する。パッキン用溝３０ｃは、裏蓋３０の外形形状と相似を成すように、平面視で略円形に形成される周状溝として図示される。
このパッキン用溝３０ｃの内部に、可撓性弾性体、たとえば柔軟な合成樹脂より成る、リング状の裏蓋用パッキン３０ｄが配置される。
【００１０】
裏蓋３０の雄ネジ部３０ｂが、ハウジング２の雌ネジ部２ａに螺合する。よって、裏蓋３０がハウジング２に取り付けられる。このとき、裏蓋用パッキン３０ｄが、ハウジング２の下面と裏蓋３０の上面との間で圧縮される。これにより、ハウジング２と裏蓋３０とが水密に密閉される。
このとき、中子３０ａの上端が支持枠７を介して、ムーブメント６を上方に向けて押し上げる。ムーブメント６は、ソーラーセル８と文字板９とを介して、ハウジング２の内壁より内側に向けて延出するフランジ部２ｂの下面に接触する。よって、ムーブメント６がケース１の内側に水密に載置される。
【００１１】
裏蓋３０の内壁、すなわち裏蓋３０の上面には、平面視で略円形の平板形状である圧電素子１２が、たとえば接着剤層や粘着材層を介して貼着される。
図中、ムーブメント６の下面より下方に延びて図示されるブザー用導通部材１３が、圧電素子１２の上面に接触する。このブザー用導通部材１３は、コイルスプリングを採用したブザー用接点バネであり、図示しないムーブメント６の回路基板と圧電素子１２との一方の電極とを電気的に導通させる。
また、ムーブメント６の下面より延びるアース用導通部材１４が、圧電素子１２を避けて、裏蓋３０の上面に接触する。アース用導通部材１４は、板バネを採用したアース用接
点バネであり、裏蓋３０を介して、圧電素子１２との他方の電極に電気的に導通する。
よって、ムーブメント６の回路よりブザー用導通部材１３を介してブザー用出力が出力されれば、これにより圧電素子１２が駆動される。
【００１２】
他方、修繕情報を記した情報告知シール４０が用意される。
この情報告知シール４０は、平面視でリング形状を成し、上下方向に貫通された平板なシールとして図示される。情報告知シール４０は、裏蓋３０の内壁、詳しくは圧電素子１２の上面に、たとえば接着剤層や粘着材層を介して貼着される。この腕時計の場合、情報告知シール４０が裏蓋３０の上面に直接貼着されないのは、裏蓋３０の上面とアース用導通部材１４との電気的な接点を確保するためである。また、情報告知シール４０が輪形であるのは、その輪の内側に、圧電素子１２とブザー用導通部材１３との電気的な接点を確保するためである。
また、図７に示されるように、情報告知シール４０の上面には、所定の修繕情報が表記される。この修繕情報は、このソーラー発電式の腕時計においては、充電可能な特定の電池を採用しなければならない旨を、腕時計を修繕するために裏蓋３０を開けた作業者に伝達する。
【００１３】
このように、圧電素子と情報告知シールとを併用する腕時計にあっては、以下のような問題点がある。
（１）圧電素子１２も、情報告知シール４０も、貼着すべき正確な位置から外れて貼着されることがある。裏蓋３０と圧電素子１２との相対的な位置合わせ、かつ圧電素子１２と情報告知シールとの相対的な位置合わせが不正確であると、圧電素子１２とブザー用導通部材１３との電気的な接点、あるいは裏蓋３０の上面とアース用導通部材１４との電気的な接点が確保されないことがある。たとえば、絶縁体である情報告知シール４０の上面にブザー用導通部材１３が位置すれば、ブザー用導通部材１３は圧電素子１２と電気的に導通できなくなる。あるいは、情報告知シール４０の上面にアース用導通部材１４が位置すれば、アース用導通部材１４は裏蓋３０と電気的に導通できなくなる。
すると、圧電素子１２が駆動されず、アラーム機能が作用しない。
【００１４】
特に、前述にように裏蓋３０がハウジング２に螺合して固定される場合、裏蓋３０は回転しながらハウジング２に取り付けられる。よって、裏蓋３０のハウジング２への締め具合の強弱によって、裏蓋３０とブザー用導通部材１３との相対的な位置、および裏蓋３０とアース用導通部材１４との相対的な位置は、様々に変わる。よって、裏蓋３０と圧電素子１２との位置合わせ、かつ圧電素子１２と情報告知シールとの位置合わせが不正確であると、圧電素子１２とブザー用導通部材１３との電気的接続、あるいは裏蓋３０の上面とアース用導通部材１４との電気的接続が極めて確保しにくい。
【００１５】
（２）腕時計のケース１における上下方向に沿った厚みを極力薄くするために、裏蓋３０の上面とムーブメント６の下面との間の上下方向に沿った距離は、５００μｍ程度に設定される。よって、厚み２００μｍの圧電素子１２の上面とムーブメント６の下面との間の上下方向に沿った距離は、もとより３００μｍ程度しか残らない。そこに厚み５０μｍの情報告知シール４０を圧電素子１２の上面に積層させれば、情報告知シール４０の上面とムーブメント６の下面との間の上下方向に沿った距離は、２５０μｍまで詰まる。
図６における破線は、ケース１に外圧が負荷されて、ムーブメント６に向けて撓んだ裏蓋３０を示す。このように、裏蓋３０がケース１の内側に向けて撓むと、情報告知シール４０がムーブメント６の下面に圧接する。すなわち、裏蓋３０が、圧電素子１２と情報告知シール４０を介してムーブメント６に圧接し、ムーブメント６が故障することがある。
このように、わずか５０μｍの情報告知シール４０が、裏蓋３０とムーブメント６との上下間に介在するだけで、腕時計には加圧よる不具合が発生してしまう。
【００１６】
これらの問題点を解決するために、圧電素子の上面に、修繕情報を直接印刷した腕時計が提案されている（特許文献１参照）。
この腕時計では、情報告知シールより修繕情報を印刷した印刷層の方が薄いため、加圧によって裏蓋が内側に撓んでも、裏蓋が圧電素子と印刷層とを介してムーブメントに接触する可能性は、わずかに削減される。よって、加圧よる腕時計の不具合が発生しにくいという利点がある。
【特許文献１】実開昭６０−４９４８５号公報
【発明の開示】
【発明が解決しようとする課題】
【００１７】
しかしながら、圧電素子の上面に修繕情報を直接印刷した腕時計には、次のような問題がある。
圧電素子の上面に修繕情報を印刷しようとすると、圧電素子の割れが多発する。したがって、極めて生産性が悪い。
また、絶縁層である印刷層が、印刷すべき正確な位置から外れて印刷されると、圧電素子とブザー用導通部材との電気的な導通が確保されない。たとえば、ブザー用導通部材が印刷層の上面に位置すれば、圧電素子とは電気的に導通できなくなる。
また、前述にように裏蓋がハウジングに螺合して固定される場合、裏蓋は回転しながらハウジングに取り付けられる。このとき、ブザー用導通部材が圧電素子上面の印刷層を擦るため、印刷層が圧電素子より剥離してしまう。よって、裏蓋を開けた作業者が修繕情報を完全に読み取ることができなくなる。
このように、圧電素子の上面に修繕情報を直接印刷した腕時計は、上記の問題点を、いまだ充分に解決するとは言い難い。
【００１８】
よって、確実に、かつ生産性の高い手段で、上記の問題点（１）と（２）を解決しようとする本発明の目的は、以下の通りである。
（１）アラーム機能と付帯情報とを備える腕時計にあって、圧電素子とブザー用導通部材との電気的導通、あるいは裏蓋の内壁とアース用導通部材との電気的な導通が確実に確保される腕時計のケースを提供すること。
（２）アラーム機能と付帯情報とを備える腕時計にあって、加圧によって裏蓋が撓もうとも腕時計の不具合が発生しにくい腕時計のケースを提供すること。
【課題を解決するための手段】
【００１９】
上記の問題点を解決しようとする本発明の腕時計のケースは、
「裏蓋の内壁に付される付帯情報と、裏蓋の内壁に固定される圧電素子と、を含み、
この付帯情報が、圧電素子周囲の裏蓋の内壁に刻印された情報告知刻印部によって付される」ものである。
このように、絶縁体である情報告知シールや印刷層を採用しないので、圧電素子とムーブメントの間、あるいは裏蓋の内壁とムーブメントの間には、電気的導通を阻むものは介在しない。よって、裏蓋と圧電素子との相対的な位置合わせが不正確であっても、圧電素子とブザー用導通部材との電気的な導通は、確実に確保される。かつ裏蓋とアース用導通部材との相対的な位置合わせが不正確であっても、裏蓋とアース用導通部材との電気的な導通もまた、確実に確保される。
また、加圧によって裏蓋が撓もうとも、圧電素子の上面には何ら積層された部材は存在しないので、圧電素子とムーブメントとの上下方向に沿った距離は大きく確保される。よって、撓む裏蓋が、圧電素子を介してムーブメントに接触する危険性は削減される。
これにより、加圧によって裏蓋が撓もうとも、腕時計の不具合が発生しにくい。
【００２０】
また、この場合、本発明の腕時計のケースは、
「情報告知刻印部が、圧電素子周囲の裏蓋の内壁にレーザー加工によって刻印された」も
のであることが好ましい。
このように、レーザー加工を採用すれば、付帯情報が圧電素子周囲の裏蓋の内壁に、極めて簡単に刻印される。また、付帯情報は、所定の設定位置に正確に刻印される。
【００２１】
また、この場合、本発明の腕時計のケースは、
「情報告知刻印部が、圧電素子周囲の裏蓋の内壁にプレス加工によって刻印された」ものであってもよい。
この場合も同様に、付帯情報が、圧電素子周囲の裏蓋の内壁に、極めて簡単に刻印される。また、付帯情報は、所定の設定位置に正確に刻印される。
【００２２】
また、この場合、本発明の腕時計のケースは、
「情報告知刻印部が、エッチング加工によって刻印された」ものであってもよい。
この場合も同様に、付帯情報が、圧電素子周囲の裏蓋の内壁に、極めて簡単に刻印される。また、付帯情報は、所定の設定位置に正確に刻印される。
【００２３】
また、本発明の腕時計のケースは、
「ケースに収納されるムーブメントと、
ムーブメントと裏蓋の内壁とを導通させるアース用導通部材と、
圧電素子周囲に形成される情報告知刻印部と、
圧電素子周囲に形成される情報告知刻印部の無い空白領域と、
を含み、
アース用導通部材が、空白領域においてケースの内壁に接触する」ことが好ましい。
この場合、刻印の無い空白領域において、アース用導通部材が裏蓋の内壁に接触するので、アース用導通部材と裏蓋の内壁との接触面積が増える。よって、アース用導通部材が裏蓋の内壁に確実に電気的に導通する。
【００２４】
また、この場合、本発明の腕時計のケースは、
「圧電素子周囲に円弧状に形成される情報告知刻印部と、
情報告知刻印部の両端間に設けられる空白領域と、を含む」ものとすることができる。
すると、裏蓋の平面方向に沿った大きさを広げることなく、空白領域が裏蓋の内壁に設けられる。
【００２５】
また、本発明の腕時計のケースは、
「ケースに収納されるムーブメントと、
ムーブメントと裏蓋の内壁とを導通させるアース用導通部材と、
を含み、
アース用導通部材における裏蓋の内壁との接触部が、情報告知刻印部における刻印の凹部より大きく設定される」ことが好ましい。
すると、アース用導通部材が刻印の凹部内に入り込むことがないので、アース用導通部材が裏蓋の内壁に確実に接触する。よって、アース用導通部材が、裏蓋の内壁に確実に電気的に導通する。
【００２６】
また、本発明の腕時計のケースは、
「裏蓋の内壁に凹部として形成された、圧電素子を収納する収納部を含み、
収納部周囲の裏蓋の内壁に、付帯情報が直接形成される」ものであってもよい。
すると、圧電素子とムーブメントとの上下方向に沿った距離が、さらに大きく確保される。よって、加圧によって裏蓋が撓もうとも、撓む裏蓋が、圧電素子を介してムーブメントに接触する危険性は、さらに大きく削減される。
【００２７】
また、この場合、本発明の腕時計のケースは、
「収納部に収納された圧電素子における、収納部の底面と対向しない面と、収納部周囲の裏蓋の内壁面とが、ほぼ同一平面を成す」ことが好ましい。
すると、裏蓋がハウジングに螺合して固定される場合、裏蓋は回転しながらハウジングに取り付けられる。このとき、ブザー用導通部材が圧電素子上面を強く擦ることがないため、ブザー用導通部材との摩擦に起因する圧電素子の電極の損傷が起こりにくくなる。
【発明の効果】
【００２８】
本発明によれば、より簡単な構造で、より確実に、かつ生産性の高い手段で、下記の効果を得る。
（１）圧電素子とブザー用導通部材１３との電気的導通、あるいは裏蓋の上面とアース用導通部材との電気的な導通が確実に確保される腕時計のケースが提供される。
（２）加圧によって裏蓋が撓もうとも腕時計の不具合が発生しにくいように、修繕情報が確実に付される腕時計のケースが提供される。
【発明を実施するための最良の形態】
【００２９】
以下、本発明の実施形態が図面に基づいて説明される。なお、前述の従来技術と同じ部品には同じ番号を付することで、それらの部品への説明が省略される。また、本発明は、以下の実施形態に限定されるものではない。
【００３０】
（第１実施形態）
図１は本発明における第１実施形態に係る腕時計のケースの分解斜視図、
図２は本発明における第１実施形態に係る裏蓋の平面図、
図３は本発明における第１実施形態に係る腕時計のケースの部分断面図である。
本発明における腕時計のケース１は、ハウジング２と裏蓋３とを含む。
ハウジング２の上部の開口は、風防４によって封鎖される。風防４は、風防用パッキン５を介してハウジング２に水密に固定される。
他方、ハウジング２の下部の開口近傍における内壁には、その周面に沿って雌ネジ部２ａが形成される。
【００３１】
ハウジング２の内部には、支持枠７によって支持されるムーブメント６が収納される。ムーブメント６の上面には、ソーラーセル８が載置される。ソーラーセル８の上方には、透光機能を有する文字板９が載置される。ムーブメント６より突出して、ソーラーセル８と文字板９とを貫通する針軸に、分針１０と時針１１とが配置される。
この腕時計は、ソーラー発電式の腕時計として例示される。
【００３２】
ハウジング２の下部の開口は、裏蓋３によって封鎖される。
裏蓋３は、前述の裏蓋３０と同様に構成される。裏蓋３は、前述の中子３０ａと同様の中子３ａを含む。中子３ａは、前述の雄ネジ部３０ｂと同様の雄ネジ部３ｂを含む。
さらに、裏蓋３は、前述のパッキン用溝３０ｃと同様のパッキン用溝３ｃと、前述の裏蓋用パッキン３０ｄと同様の裏蓋用パッキン３ｄを含む。
【００３３】
裏蓋３の雄ネジ部３ｂが、ハウジング２の雌ネジ部２ａに螺合する。よって、裏蓋３がハウジング２に取り付けられる。このとき、裏蓋用パッキン３ｄが、ハウジング２の下面と裏蓋３の上面との間で圧縮される。これにより、ハウジング２と裏蓋３とが水密に密閉される。
このとき、中子３ａの上端が支持枠７を介して、ムーブメント６を上方に向けて押し上げる。ムーブメント６は、ソーラーセル８と文字板９とを介して、ハウジング２の内壁より内側に向けて延出するフランジ部２ｂの下面に接触する。よって、ムーブメント６がケース１の内側に水密に載置される。
【００３４】
裏蓋３の内壁、すなわち裏蓋３の上面には、平面視で略円形の平板形状である圧電素子１２が、たとえば接着剤層や粘着材層を介して貼着される。
ムーブメント６の下面より下方に延びて図示されるブザー用導通部材１３が、圧電素子１２の上面に接触する。また、ムーブメント６の下面より延びるアース用導通部材１４が、圧電素子１２を避けて、裏蓋３の上面に接触する。
よって、ムーブメント６の回路よりブザー用導通部材１３を介してブザー用出力が出力されれば、これにより圧電素子１２が駆動される。
【００３５】
裏蓋３の内壁、すなわち裏蓋３の上面に、圧電素子１２の周囲を円弧状に囲むように、修繕情報を記した情報告知刻印部１５が刻印される。この情報告知刻印部１５は、レーザー加工、プレス加工、あるいはエッチング加工によって、所定の文字列を上方に開口する微細な凹部として表記する。この情報告知刻印部１５は、このソーラー発電式の腕時計においては、充電可能な特定の電池を採用しなければならない旨を、腕時計を修繕するために裏蓋３０を開けた作業者に伝達する。
【００３６】
このように、修繕情報を付するのに、絶縁体である情報告知シールや印刷層を採用しないので、圧電素子１２とムーブメント６の下面の間、あるいは裏蓋３の上面とムーブメント６の下面の間には、電気的導通を阻むものは介在しない。よって、裏蓋３と圧電素子１２との相対的な位置合わせが不正確であっても、圧電素子１２とブザー用導通部材１３との電気的な導通は、確実に確保される。かつ裏蓋３とアース用導通部材１４との相対的な位置合わせが不正確であっても、裏蓋３とアース用導通部材１４との電気的な導通も、確実に確保される。
また、加圧によって裏蓋３が撓もうとも、圧電素子１２の上面には何ら積層された部材は存在しないので、圧電素子１２とムーブメント６との上下方向に沿った距離は大きく確保される。よって、撓む裏蓋３が、圧電素子１２を介してムーブメント６に接触する危険性は削減される。
【００３７】
また、アース用導通部材１４における圧電素子との接触部１４ａが、情報告知刻印部１５おける刻印の凹部より大きく設定されることが，図面より理解される。
これにより、アース用導通部材１４が、情報告知刻印部１５における刻印の凹部内に入り込むことがないので、アース用導通部材１４が裏蓋３の上面に確実に接触する。
【００３８】
（第２実施形態）
図４は本発明における第２実施形態に係る腕時計のケースの部分断面図である。
前述の第１実施形態と同じ部品には同じ番号を付することで、それらの部品への説明が省略される。
この実施形態では、裏蓋３の上面に、上方に開口する凹部として収納部１６が形成される。この収納部１６内に圧電素子１２が貼着される。
情報告知刻印部１５は、第１実施形態と同様に、圧電素子１２の周囲、すなわち収納部１６の外周を円弧状に囲むように刻印される。
図４より、収納部１６に収納された圧電素子１２における、収納部１６の底面と対向しない面、すなわち圧電素子１２の上面と、収納部１６周囲の裏蓋３の内壁面、すなわち裏蓋３の上面とが、ほぼ同一平面を成すことが理解される。
【００３９】
この実施形態では、圧電素子１２が収納部１６に収納されるので、圧電素子１２とムーブメント６との上下方向に沿った距離が、さらに大きく確保される。よって、加圧によって裏蓋３が撓もうとも、撓む裏蓋３が、圧電素子１２を介してムーブメント６に接触する危険性は、さらに大きく削減される。
また、収納部１６に収納された圧電素子１２の上面と、収納部１２周囲の裏蓋３の上面とがほぼ同一平面を成すので、裏蓋３がハウジング２に回転しながら螺合されるとき、ブ
ザー用導通部材１３が圧電素子１２の上面を強く擦ることがない。よって、ブザー用導通部材１３との摩擦に起因する圧電素子１２の電極の損傷が起こりにくくなる。
【００４０】
（第３実施形態）
図５は本発明における第３実施形態に係る裏蓋の平面図である。
前述の第１実施形態と同じ部品には同じ番号を付することで、それらの部品への説明が省略される。
この実施形態における裏蓋２０は、平面視における外形形状が略矩形であること、および雄ネジ部が無いこと以外は、前述の裏蓋３０と同様に構成される。
すなわち、この裏蓋２０は、前述の中子３０ａと同様であるが、平面視における外形形状が略矩形である中子２０ａを含む。裏蓋２０は、前述のパッキン用溝３０ｃと同様であるが、平面視における外形形状が略矩形であるパッキン用溝２０ｃと、前述の裏蓋用パッキン３０ｄと同様であるが、平面視における外形形状が略矩形である裏蓋用パッキン２０ｄを含む。
【００４１】
中子２０ａの上端寄りの外周面の４箇所に、平面方向に沿って外方に向けて突出する凸部である係合凸部２０ｂが形成される。これら係合凸部２０ｂは、中子２０ａの外形形状が成す矩形の４つの辺それぞれから、その辺を等分する中央近傍に位置するように、中子２０ａから突出する。
この裏蓋２０の上面に、第１実施形態と同様の圧電素子１２が貼着される。情報告知刻印部１５は、第１実施形態と同様に、圧電素子１２の周囲を円弧状に囲むように刻印される。この情報告知刻印部１５の円弧の両端の間が、修繕情報が刻印されていない空白領域１７として図示される。
【００４２】
裏蓋２０は、図示しないハウジングに取り付けられる。
裏蓋２０の係合凸部２０ｂそれぞれは、図示しないハウジングの内壁に凹設された係合凹部に挿入される。この凹凸係合によって、裏蓋２０はハウジングに固定される。このとき、裏蓋用パッキン２０ｄが、ハウジングの下面と裏蓋２０の上面との間で圧縮され、ハウジングと裏蓋２０とが水密に密閉される。
このとき、図示しないムーブメントのブザー用導通部材が、圧電素子１２の上面に接触して、圧電素子１２と電気的に導通する。またこのとき、図示しないムーブメントのアース用導通部材が、刻印の無い空白領域１７において、裏蓋４０の上面に接触して、裏蓋４０と電気的に導通する。
他の説明されない部分は、第１実施形態と同様である。
【００４３】
この実施形態では、刻印の無い空白領域１７において、アース用導通部材１４が、裏蓋２０の上面に接触するので、アース用導通部材１４と裏蓋２０の上面との接触面積が増える。よって、アース用導通部材１４が裏蓋２０の上面に確実に電気的に導通する。
裏蓋とハウジングとが螺合する第１実施形態と第２実施形態と異なり、裏蓋２０はハウジングと凹凸係合するので、裏蓋２０とハウジングとの相対的な位置は、係合凸部２０ｂの位置によって正確に規定される。よって、アース用導通部材１４と空白領域１７とを確実に接触させる正確な位置合わせが、裏蓋２０とハウジングとの間で可能になる。
また、実施形態では、円弧状の情報告知刻印部１５の両端間に空白領域１７を設けたので、裏蓋２０の平面方向に沿った大きさを広げることなく、空白領域１７が裏蓋２０の上面に設けられる。
【００４４】
以上の実施形態は、本発明を説明するための最も単純な例にすぎない。たとえば、裏蓋とハウジングとの固定手段、圧電素子と裏蓋との固定手段、圧電素子とムーブメントとの導通手段、あるいは裏蓋部材とムーブメントとの導通手段などについては、当業者であれば適宜変更可能である。
また、本発明は、部品それぞれの機能が達成されれば、部品それぞれの材質や形状をなんら限定しない。
【産業上の利用可能性】
【００４５】
本発明における腕時計のケースは、アラーム機構と付帯情報とを備える腕時計に採用されることにより、前述の顕著な効果を発揮する。しかしながら、本発明における腕時計のケースは、腕時計のみならず、アラーム機構と付帯情報とを備える電子機器全般にも利用可能である。
【図面の簡単な説明】
【００４６】
【図１】本発明における第１実施形態に係る腕時計のケースの分解斜視図である。
【図２】本発明における第１実施形態に係る裏蓋の平面図である。
【図３】本発明における第１実施形態に係る腕時計のケースの部分断面図である。
【図４】本発明における第２実施形態に係る腕時計のケースの部分断面図である。
【図５】本発明における第３実施形態に係る裏蓋の平面図である。
【図６】従来の腕時計のケースの部分断面図である。
【図７】従来の裏蓋の平面図である。
【符号の説明】
【００４７】
１      ケース
２      ハウジング
２ａ    雌ネジ部
２ｂ    フランジ部
３      裏蓋
４      風防
５      風防用パッキン
６      ムーブメント
７      支持枠
８      ソーラーセル
９      文字板
１０    分針
１１    時針
１２    圧電素子
１３    ブザー用導通部材
１４    アース用導通部材
１５    情報告知刻印部
１６    収納部
１７    空白領域
２０    裏蓋
３０    裏蓋
４０    情報告知シール
【図１】
2007263810.tif 000003
【図２】
2007263810.tif 000004
【図３】
2007263810.tif 000005
【図４】
2007263810.tif 000006
【図５】
2007263810.tif 000007
【図６】
2007263810.tif 000008
【図７】
2007263810.tif 000009